(57)【要約】【課題】  戸建て住宅などに備えられている普段は空いている駐車場を広く一般のユーザーに開放したい。それによって駐車場不足を解消し、住宅のオーナーに時間貸しの対価が得られるようにして上げたい。【解決手段】  一般住宅で空いている時間帯を提供しても良いとする駐車場があれば、これ等をネットワーク化する。このため、複数箇所に設けられた車両の駐車スペースと、各々の前記駐車スペースに共通する看板と、駐車の可不可をユーザーに示す通知手段とを備えた時間貸し駐車設備を提供する。なお看板や通知手段に駐車スペースの撮影手段を設けても良い。【選択図】図１
2015057679.tif 000002
【特許請求の範囲】
【請求項１】
複数箇所に設けられた車両の駐車スペースと、各々の前記駐車スペースに共通する看板と、駐車の可不可をユーザーに示す通知手段と、を備えていることを特徴とする時間貸し駐車設備。
【請求項２】
前記通知手段が各々の前記駐車スペース側で操作するように設けられたものである請求項１に記載の時間貸し駐車設備。
【請求項３】
前記通知手段と前記看板とが一体である請求項１に記載の時間貸し駐車設備。
【請求項４】
各々の前記駐車スペースが車輪止めを備えている請求項１に記載の時間貸し駐車設備。
【請求項５】
前記駐車スペースを取り纏めて管理する管理部を備え、この管理部は前記駐車スペースとの間で通話可能な通話手段を有している、請求項１に記載の時間貸し駐車設備。
【請求項６】
前記駐車スペースを取り纏めて管理する管理部を備え、前記駐車スペースは駐車料金の精算機を備え、この精算機と前記管理部との間で通信可能な通信手段を有している、請求項１に記載の時間貸し駐車設備。
【請求項７】
前記駐車スペースを取り纏めて管理する管理部を備え、この管理部はユーザー側の携帯端末に現在空いている前記駐車スペースを通知する通知手段を有している、請求項１に記載の時間貸し駐車設備。
【請求項８】
前記看板にまたは前記通知手段に前記駐車スペースを監視する撮影手段を備えている、請求項１に記載の時間貸し駐車設備。
【請求項９】
前記看板にまたは前記通知手段に、取り付け用のアタッチメントを介して前記撮影手段を取り付け得るように構成した、請求項８に記載の時間貸し駐車設備。
【請求項１０】
前記駐車スペースを取り纏めて管理する管理部を備え、前記駐車スペースは前記管理部との間で前記撮影手段によって撮影された画像データを通信するための通信手段を有しており、前記管理部で前記画像データを処理し得るように構成した、請求項８に記載の時間貸し駐車設備。
【請求項１１】
更に、前記駐車スペースの周りを監視する撮影手段を看板に備えた、戸建て住宅などに備えられている駐車場ではない既存の時間貸し駐車設備を含み、この時間貸し駐車設備の前記撮影手段によって撮影された画像データを前記通信手段を介して前記管理部で処理し得るように構成した、請求項１０に記載の時間貸し駐車設備。
【請求項１２】
前記画像データを表示しつつ前記画像データ中から追跡対象となる画像を被追跡画像として指定する画像指定部と、他の画像データから前記画像にマッチングする被追跡画像を見出す画像検索部と、各々の前記被追跡画像をそれが撮影された時刻順に整列して表示する整列表示部と、から構成される被追跡画像処理装置を備えている、請求項１０または請求項１１に記載の時間貸し駐車設備。
【発明の詳細な説明】
【技術分野】
【０００１】  この発明は戸建て住宅などの一般の住宅に備えられている駐車場をネットワーク化し、その空き時間を利用して一般のユーザーにも駐車サービスを提供することを可能にすると言うような、全く新しい考え方に基づく時間貸し駐車設備に関するものである。
【背景技術】
【０００２】  近年時間貸し駐車場なるものが街中のそこかしこに見られるようになった。一般的には車輪止めを有する駐車スペースの複数台と駐車料金の精算機とを備えた駐車場と、このような駐車場の複数箇所を取り纏めて管理運営するセンターとから成る。例えば特開平０３−０７１４００の駐車管理システムは、利用者を識別するカード読取機と、駐車機械の操作をする制御装置とで構成され、カード読取機での読込データに基づき制御装置が利用者であることを確認した後、月極利用者か時間利用者かを判断するとともに、月極利用者には月極枠が残っているときには駐車機械を許可操作し、月極枠が残っていないときは未利用月極台数より駐車可能台数の方が大きい場合に駐車機械を許可操作し、又、時間利用者には未利用月極台数より駐車可能台数の大きい場合に駐車機械を許可操作するようにしたことを特徴とするものである。
【先行技術文献】
【特許文献】
【０００３】
【特許文献１】特開平０３−０７１４００
【発明の概要】
【発明が解決しようとする課題】
【０００４】  上述したような駐車場は、概して遊休土地を利用して設けられている場合が多いため、時の経済情勢によっては駐車場を撤去してビルが建設されるようにもなる。従って街中に駐車場が少なくなりユーザーが空いている駐車場を求めて右往左往すると言うような事態も想定される。【０００５】  一方、戸建て住宅などの一般の住宅に備えられている駐車場は、あくまでもその住宅の住人専用であって他人に貸すような性質のものではない。しかしながら子細に観察してみると、主としてこの住宅の住人が仕事に出掛けている昼間は、その駐車場は完全に空いているものであることが分かる。当発明者は、このようにして空いている戸建て住宅などに備えられている駐車場を、広く一般のユーザーに開放出来ないものかと考えた。もちろん夜間空いている場合には夜間に開放することが出来る道理である。そこでこのようなことが可能になれば、住宅のオーナーは時間貸しの対価が得られ、また一般のユーザーは駐車場の不足に悩まされなくて済むであろう。この発明は上述したような問題点の解決を課題とするものである。
【課題を解決するための手段】
【０００６】  上記課題の解決に先立ち当発明者は、戸建て住宅などの一般住宅で空いている時間帯を提供しても良いとする駐車場があればこれ等をネットワーク化して、この管理運営をして上げることが出来るようなシステムを新たに構築すれば良いと言う知見を得た。本来一般住宅の駐車場はそのオーナーが専用するためのものであるが、その日その日の空いている時間帯を管理運営して上げるのである。【０００７】  すなわち上記の課題は、複数箇所に設けられた車両の駐車スペースと、各々の前記駐車スペースに共通する看板と、駐車の可不可をユーザーに示す通知手段と、を備えていることを特徴とする時間貸し駐車設備を提供することによって解決される。このネットワークに参加する駐車スペースは、在来の時間貸し駐車場が広い敷地を確保してそこに駐車スペースを集中的に配置するものであるのに対して、一般住宅から広く参加者を募るものであることにより結果的に分散的な配置となっている。しかしながら在来の時間貸し駐車場の複数箇所は、時間貸し駐車場を運営しようとする会社の意思を体現しようと設けられているものであるのに対して、この発明の駐車場ではこのネットワークの参加者同士はそれぞれ独立した意思を持つものであり、かろうじてこのネットワークに参加しようと言う点でのみ一致している。このような駐車設備はこれまでにないものであった。【０００８】  空いている時間帯を提供しても良いとする戸建て住宅などの駐車場は街中に分散されているが、各々の前記駐車スペースに共通する（役務名を文字や図形などで表わしたものによる）看板が設置されていることで、一般のユーザーからは、戸建て住宅などの駐車場であっても当該駐車サービスを提供していると言うことが一目で了解される。これがすなわち一般住宅に於ける駐車スペースのネットワーク化である。しかしながら戸建て住宅などの駐車場では、この家のオーナーが使用中であるも自動車で外出しているために当該駐車場が空いているように見える場合もある。そこで駐車の可不可をユーザーに示す通知手段が只今の時間帯に駐車サービスが提供されているか否かをユーザーに明示するのである。従ってユーザーは、上記看板を見付けたならば、次は通知手段を確認して駐車可能であるか否かを知ることになる。このように本発明は全く新しい駐車システムであると言うことが出来る。また本発明は社会的にも重要な貢献を行っている。【０００９】  なお上記通知手段は各々の前記駐車スペース側で操作し得るように構成することが出来る。例えばこの家のオーナーが通知手段としての旗を掲げたり降ろしたりするのである。あるいは通知手段としての電気スイッチをＯＮ／ＯＦＦすることによって駐車の可不可を示すライトを点消させたり、駐車の可不可の表示を変更させたりするのである。なお上記駐車スペースを取り纏めて管理する管理部を備え、この管理部が通知手段を操作し得るように構成することも可能である。例えばこの家のオーナーが「今日は、何時から何時まで駐車サービスの提供が可能になる」旨を管理部に電話連絡することにより、管理部が遠隔的に通知手段を操作するなどである。なお必要に応じて上記通知手段は、何時から何時までの間が駐車可能である旨の表示を行うようにして���良い。【００１０】  また前記通知手段と前記看板とが一体であるものとすることが出来る。例えば上記看板に青色と赤色のライトを設けておき、青色のライトを点灯させている場合には駐車可能であり、赤色のライトを点灯させている場合には只今のところ駐車サービスを提供していない、とするのである。【００１１】  また各々の前記駐車スペースが車輪止め（出庫阻止装置）を備えているものとすることが出来る。車輪止めを効かせておけば、駐車料金が未払いの状態での出庫が難しくなる。駐車スペースが地面を整地したものであれば、車輪止めは地面に挿して立てるフェンスのようなものであっても良い。また駐車スペースがコンクリート打ちに成るものでは、油圧や電動モータ等で動作して車輪や自動車の底部に掛かる掛止具をボルトでコンクリート面に固定するようなものであっても良い。すなわち車輪止めの種類は種々あるので、戸建て住宅などの駐車場に好適なものを設置するようにすれば良い。【００１２】  また前記駐車スペースを取り纏めて管理する管理部を備え、この管理部は前記駐車スペースとの間で通話可能な通話手段を有しているものとすることが出来る。上述したようにこの発明では、共通の看板を設置することにより一般住宅の駐車スペースのネットワーク化グループ化が為される。この場合、各々の駐車スペースは自律的に上記通知手段を動作させたり、駐車料金の精算を行ったり、ユーザーからの苦情や不具合の情報を受けたりするようにすれば良いわけである。これに対して駐車スペースのオーナーと管理部との間に電話などの通話手段を有していれば、この通話手段を用いてユーザーからの苦情や不具合の情報を管理部に報告して、管理部に解決してもらうようにすることが可能になるため、ユーザーに対する適切な対応が行えたりオーナーの負担軽減に役立つ。【００１３】  また前記駐車スペースを取り纏めて管理する管理部を備え、前記駐車スペースは駐車料金の精算機を備え、この精算機と前記管理部との間で通信可能な通信手段を有しているものとすることが出来る。管理部は人が運営するものであったり、コンピュータ処理による管理装置であったりする。例えば上述したような通話手段は、例えば苦情や不具合の担当者が操作する電話機によるものである。これに対して上記通信手段はコンピュータ処理を行って精算機を管理するものである。すなわち一般住宅の駐車スペースのネットワーク化のセンターであるところの管理部が通信手段を介して駐車料金の精算機を管理する。これもオーナーの負担軽減に資する。【００１４】  また前記駐車スペースを取り纏めて管理する管理部を備え、この管理部はユーザー側の携帯端末に現在空いている前記駐車スペースを通知する通知手段を有しているものとすることが出来る。管理部は、例えば電話を用いてオーナーからの駐車可不可の情報を受けたり、通信線を介して自動で上記通知手段から駐車可不可の情報を受けたりし得るように構成することが出来る。その上で、現在駐車可能な駐車スペースを、通知手段として例えばＷＷＷや電子メールと言った通信装置を介してユーザーの携帯端末に通知するようにするのである。これによりユーザーは、最寄りの空き駐車スペースに直行することが可能になる。【００１５】  次に、前記看板にまたは前記通知手段に、前記駐車スペースを監視する撮影手段を備えているものとすることが出来る。上述のように戸建て住宅などの一般の住宅に備えられている駐車場は、あくまでもその住宅の住人専用であって他人に貸すような性質のものではないが、この駐車場が空いている時間帯を活用して広く一般のユーザーに開放するようにしたため、更にセキュリティーに気を遣うようにする方が好ましい。上記撮影手段の一般的なものは防犯カメラであり、これには静止画を撮影するものや動画を撮影するものがあるが、これをこの発明に特徴的な看板や通知手段に取り付けて、この住宅の守りとするのである。【００１６】  しかもこの発明の戸建て住宅の所有であるも街中に分散している駐車場はネットワーク化されているため、看板や通知手段に撮影手段が備え付けられていることによって、実に街の見張りともなるのである。街の見張りのためには「街中に分散している」ことがとても重要であることは言うまでもないが、既存の時間貸し駐車場よりも遙かに分散度合いが大きいこの発明の駐車設備でしか実際問題として実現し得ないものであると言って良い。この撮影手段が撮影した画像は、コンピュータのハードディスクや可搬型記憶デバイスに記録されたり、後述するように通信装置を介して管理部に送信されたりする。この戸建て住宅のオーナーが家に居ながらモニタを監視し得るように構成しても良い。【００１７】  なお前記看板にまたは前記通知手段に、取り付け用のアタッチメントを介して前記撮影手段を取り付け得るように構成することが出来る。この撮影手段は看板や通知手段に最初から組み込まれたものであっても良いが、撮影手段が組み込まれていない看板や通知手段（特に、後述する戸建て住宅などに備えられている駐車場ではない既存の時間貸し駐車設備の看板やそのポール）に付いては撮影手段の後付けが出来ることが望ましい。この際に後付けを容易にするためにこの取り付け用のアタッチメントを用いると良い。【００１８】  また、前記駐車スペースを取り纏めて管理する管理部を備え、前記駐車スペースは前記管理部との間で前記撮影手段によって撮影された画像データを通信するための通信手段を有しており、前記管理部で前記画像データを処理し得るように構成したものとすることが出来る。すなわち一般住宅の駐車スペースの、ネットワーク化のセンターであるところの管理部が通信手段を介して上記画像データの管理を行う。これは主としてこのセンターの監視要員によるモニタの監視を指す。モニタを監視していて異常を発見したならば、オーナーに通知したりオーナーに代わって異常事態に対処して上げることが出来る。【００１９】  更に、前記駐車スペースの周りを監視する撮影手段を看板に備えた、戸建て住宅などに備えられている駐車場ではない既存の時間貸し駐車設備を含み、この時間貸し駐車設備の前記撮影手段によって撮影された画像データを前記通信手段を介して前記管理部で処理し得るように構成することが出来る。上述したようにこの発明の駐車場はネットワーク化されており、結果的に撮影手段も街中に分散していることによって街の見張りになるわけであるが、この分散された状態に既存の時間貸し駐車設備を組み込む、すな��ち分散された撮影手段に時間貸し駐車設備の撮影手段を取り込み、これを上記センターであるところの管理部が通信手段を介して上記画像データの管理を行うようにするのである。このようにしてより広範囲で有効に街の見張りを行うことを可能にしている。【００２０】  なお、既存の時間貸し駐車設備を含んでいてもいなくとも、前記画像データを表示しつつ前記画像データ中から追跡対象となる画像を被追跡画像として指定する画像指定部と、他の画像データ中から前記画像にマッチングする被追跡画像を見出す画像検索部と、各々の前記被追跡画像をそれが撮影された時刻順に整列して表示する整列表示部と、から構成される被追跡画像処理装置を備えている時間貸し駐車設備を構成することが出来る。これは特定の不審者をこの撮影手段のネットワークを用いて追跡することを可能にするものである。【００２１】  すなわち、このセンターの監視要員がモニタの監視を行っていて、あるモニタに表示されている画像データ中から例えば不審者を発見したならば、画像指定部を動作させて不審者画像を被追跡画像として指定する操作を行う。次に画像検索部によって、分散設置された他の撮影手段からの画像データから被追跡画像すなわち上記不審者画像を検索し、こうして索出された不審者画像が複数の場合には、各々が撮影された時刻を元にして整列表示部が時刻順に不審者画像を整列させて表示する処理を行う。従って不審者がどのルートで移動しているかが良く分かることになる。なお画像指定部で指定するものの例として上述した不審者の他にも自動車や荷物を上げることが出来る。
【発明の効果】
【００２２】  この発明によれば、空いている戸建て住宅などに備えられている駐車場をネットワーク化することにより、その空き時間を利用して広く一般のユーザーに開放することが出来るようになった。この住宅のオーナーは時間貸しの対価が得られ、一般のユーザーは駐車場の不足に悩まされなくて済むようになった。なおこの発明の分散性と言う特徴を活かして監視カメラを設けた場合には、街の見張りを行うことが出来るようになる。
【図面の簡単な説明】
【００２３】
【図１】  実施例１のネットワーク化の説明図である。
【図２】  実施例１の駐車場の説明図である。
【図３】  実施例１をブロック図にて表した説明図である。
【図４】  実施例２をブロック図にて表した説明図である。
【図５】  実施例３の駐車場の説明図である。
【図６】  実施例４のシステムの説明図である。
【図７】  実施例５のシステムの説明図である。
【図８】  実施例５で使用するユーザー端末の説明図である。
【図９】  実施例６の看板の説明図である。
【図１０】  実施例７のネットワーク化の説明図である。
【図１１】  実施例８の看板の説明図である。
【図１２】  実施例９を流れ図にて表した説明図である。
【発明を実施するための形態】
【００２４】  以下この発明の９種の実施例を説明するが、この発明はこれ等の実施例にのみ限定されるものではない。
【実施例１】
【００２５】  この実施例を図１乃至図３を用いて説明する。この実施例のネットワーク駐車場１は戸建ての一般住宅２のオーナーの働きに負う部分を大きくしたものであり、管理本部１０は各戸にこの事業を表す共通の看板ライト１１を設置することで、この事業に参加する一般住宅２をネットワーク化するものである。各戸に共通する看板ライト１１は管理本部１０が管理するものであり、この新規な駐車場を利用しようとするユーザーにとってはとても重要な目印である。なおユーザーからの苦情は、オーナーが電話機２０にて管理本部１０の苦情受け付けの電話機１２に電話して対処してもらうようになっている。【００２６】  この実施例の一般住宅２の駐車場は２台分の駐車スペース２１，２２より成る。ここが空いている時間帯に貸し出そうと言うのである。そこで上述した看板ライト１１に加え、駐車スペース２１には表示ライト２３を、駐車スペース２２には表示ライト２４を設置している。これ等のライトは家庭用の電源２７から電力が供給されており、看板ライト１１はスイッチ１３をＯＮにすることで点灯する。これは管理本部１０の人間が操作すべきものであるが、オーナーが操作する場合もあり得る。駐車場が空いていることを点灯で示す表示ライト２３，２４は、オーナー自身が操作するスイッチ２５，２６によって点消される。また時間貸し駐車場のユーザーからの利用料金の収受もオーナー自身が行う。従ってこの実施例はオーナーの働きに負う部分が大きいのである。なお符号Ｓはオーナーによる持ち運びが可能な車止めであるが、このようなものをある種の標として使うようにしても良い。
【実施例２】
【００２７】  上述した実施例１では、看板ライト１１と表示ライト２３，２４とを別々に設置していたが、この実施例では一体のものとしている点が特徴である。また看板ライトはその点灯消灯の状態の如何に関わらず、ただ設置されてさえいればこの駐車事業に参加しているものと見なす場合と、点灯している時のみこの駐車事業に参加しているものと見なす場合とがあるが、この実施例は常時点灯にて参加していることを表すものである。【００２８】  図４の看板ライト１４は、電源２７から電力を供給される点消制御回路２００が、駐車場のオーナーが操作する切替スイッチ２０１の状態に合わせて、青色電球２８か赤色電球２９かの何れか一を点灯し、他方を消灯するように構成されている。【００２９】  すなわち青色電球２８か赤色電球２９かの何れか一は常に点灯しているわけであり、これによってこの駐車場がこのネットワーク化された駐車事業に参加していることを表すのである。同時に、青色電球２８が点灯しており看板ライト１４の全体が青く光って見える状態が駐車可能であることを表わし、逆に赤色電球２９が点灯しており看板ライト１４の全体が赤く光って見える状態が駐車不可であることを表わすのである。
【実施例３】
【００３０】  この実施例の駐車場を図５で表すが、駐車スペース２０２に出庫阻止装置２０３を設けたものである。電源２７から電力を供給される出庫阻止装置２０３が、駐車場のオーナーが操作するスイッチ２０４によって立ったり寝たりするように構成されている。【００３１】  駐車場のオーナーはユーザーの自動車が駐車スペース２０２に入り終えたら、スイッチ２０４をＯＮにして出庫阻止装置２０３を立てるようにする。次にユーザーから駐車料金を収受したら、スイッチ２０４をＯＦＦにして出庫阻止装置２０３を寝かせて、自動車の出庫を可能にするのである。なおこの出庫阻止装置２０３を管理本部１０側から手動操作あるいは自動処理で動かすように設計することも可能である。
【実施例４】
【００３２】  この実施例の駐車場を図６で表す。一般住宅２０５は自動車１台分の駐車スペース２１を有している。管理本部はこの事業を表す共通の看板ライト１１を設置することで、一般住宅２０５をこの事業ネットワークに組み入れている。駐車スペース２１には表示ライト２３と、空き時間帯表示ライト２０６を設置している。この空き時間帯表示ライト２０６はオーナーが駐車スペース２１を貸しても良いとする時間帯をセットするものであるが、この情報は後述するコイン精算機１６から通信線１７を経て管理本部の管理サーバ１５に伝達される。この情報は上記看板ライト１１の点消を管理するためなどに用いられる。【００３３】  この実施例の駐車場システムでは駐車スペース２１の横にコイン精算機１６を備えているが、これは駐車料金の収受を管理本部の管理サーバ１５で管理するためのものである。従ってオーナーは駐車料金の収受に気を遣う必要がない。
【実施例５】
【００３４】  図７及び図８はこの実施例の駐車場システムを表す。一般住宅２の側に於いて駐車スペースが空いているか否かを示す表示部２０７の状態は、通信部２０８と管理サーバ１８の側の通信部１９を介して、管理サーバ１８の空き管理部１００に接続される。空き管理部１００は電子メール送信部１０１を有している。一方、管理サーバ１８は通信部１９によってユーザーの携帯電話機３からの駐車場の空き情報の照会を受けることが出来るように構成されている。【００３５】  そこで、一般住宅２の表示部２０７が駐車の可不可を空き管理部１００に通知して来るので、ユーザーの携帯電話機３から空き情報の照会を受けた管理サーバ１８は、ユーザーの携帯電話機３のＧＰＳの位置情報を基にユーザー最寄りの空き情報を記した地図を生成して電子メール送信部１０１にて電子メール化し、ユーザーの携帯電話機３に宛てて送信する。【００３６】  図８はユーザーの携帯電話機３と、その表示画面３０に表示された案内地図３１を表したものである。符号Ｘで現在ユーザーがいる位置を示し、また符号Ｐで空いている駐車場の場所を表している。Ｘ点にユーザーの進行方向を表すようにしても良い。なおユーザーの便利のために表示画面３０には管理本部に電話可能な通話ボタン（アイコン）を表示するようにしている。
【実施例６】
【００３７】  この実施例の駐車場を図９で表す。管理本部は一般住宅の駐車スペース（図示せず）の脇に立てた支柱１０３に、この事業を表す共通の看板ライト１０２を掲げて、この事業に参加する一般住宅をネットワーク化している。【００３８】  看板ライト１０２の下部には防犯カメラ４が組み付けられており、上記駐車スペースを撮影した画像はこの戸建て住宅に備えられたモニタ（図示せず）に表示されて、この家のオーナーの監視を可能にすると共に、後の参照に備えてこの家のパーソナルコンピュータのハードディスク若しくは可搬型メモリに記録することが出来るように構成されている。これによりモニタの監視でオーナーが異常を見付けたような時には、オーナー自身で対処しても良いが、管理本部に電話して対処してもらう方がより好ましい。【００３９】  なお符号１０４の鎖線で表されている取付具１０４は、上記支柱１０３に防犯カメラを取り付けられるようにするための金具を表わしたものであって、看板ライト１０２に防犯カメラを初めから組み込むのではなく支柱１０３に後付けするような場合に有効となる。
【実施例７】
【００４０】  図１０はこの実施例のネットワーク駐車場５を表す。一般住宅は駐車スペース有しており、これをユーザーに貸し出すのであるが、管理本部はこの事業を表す共通の看板ライトを設置することで一般住宅をこの事業ネットワークに組み入れており、また駐車スペースにはここが空いていることを点灯で示す表示ライトが設置されている（図示せず）。【００４１】  一般住宅の側に於いて駐車料金の収受を管理本部の管理サーバで管理するためのコイン精算機５２を駐車スペースに備えているが、このコイン精算機５２は通信線５３によって管理本部の監視装置５０に接続されている。また駐車スペースを撮影する防犯カメラ５１は上記コイン精算機５２に接続されており、防犯カメラ５１の映像はコイン精算機５２から通信線５３を経て監視装置５０に送られて表示されるように構成されている。【００４２】  防犯カメラ５１にて駐車スペースを撮影した画像は、コイン精算機５２を介して監視装置５０のモニタ（図示せず）に表示されて、管理本部側の監視要員の監視を可能にすると共に、後の参照に備えて管理本部の監視装置５０の記憶装置に記録される。異常を見付けた時には、監視要員はパトロールを当該駐車スペースに向かわせると共に、当該駐車スペースのオーナーに連絡する、と言うような異常時行動マニュアルを準備しておく、などが実際の対処方法である。或いは管理本部側にマイクを、また駐車スペース側にスピーカを含む発音装置を設けておいて、このマイクからスピーカに向けて（不審者に対する警告の意味合いなどを含む）音声を送信し得るように構成したり、インターホン装置を設置しておいて、その場にいる人物と対話し得るように構成することが可能である。
【実施例８】
【００４３】  この実施例の駐車場を図１１で表す。上述したようにこの発明は駐車スペースの周りを監視する撮影手段を看板に備えた、戸建て住宅などに備えられている駐車場ではない既存の時間貸し駐車設備を含むことが出来る。すなわち既存の時間貸し駐車設備の撮影手段によって撮影された画像データを通信手段を介して管理本部で所要の操作や処理を行い得るように構成するのである。【００４４】  この発明の駐車場はネットワーク化されており、撮影手段が街中に分散されることによって街の見張りになるわけであり、この分散された状態に既存の時間貸し駐車設備の撮影手段を取り込むようにして、より広範囲で有効に街の見張りを行うことを可能にするわけであるが、このためには既存の時間貸し駐車設備にこのネットワークのための防犯カメラ５４を後からでも取り付けられるようにする必要がある。【００４５】  この実施例では既存の時間貸し駐車設備の看板として、ライトボックスを構成するアクリル製のパネル６をアルミ製のフレーム６０で組み立てた例を上げるが、パネル６とフレーム６０との隙間に挿着可能な取付金具６１をアタッチメントとして、この取付金具６１に防犯カメラ５４を取り付けたものを上げる。この他、上述した実施例６のような、防犯カメラを後付けするための取付具を支柱に設けるようにしても良い。
【実施例９】
【００４６】  この実施例を図１２を用いて説明する。上述の実施例のようにして街中に分散され広範囲に設置された駐車場の撮影手段から管理本部は画像データを受けることが出来るため、この画像データを以て様々な処理が可能になる。それぞれの画像データはモニタに映して監視するだけでも街の見張りとなるが、広範囲に集められた画像データであるから、この発明としてはこれを連携させない手はない。【００４７】  そこでこの実施例では監視装置５０を次のような被追跡画像処理装置として構成する。モニタは上記画像データを表示するためのものであるが、モニタに表示されている画像を監視要員が見ながら不審な人物や自動車やこれによって運ばれる荷物などの被追跡画像（この例では不審者画像）を指定するための画像指定部と、指定された被追跡画像を他の画像データから見付け出す検索処理を行う画像検索部と、こうして索出された複数の索出画像をすなわち上記被追跡画像が含まれる複数の画像データを各々の画像データが撮影された時刻順に並べ直す時刻順整列部と、更にこの地域の地図上に各々の画像データをこれが撮影された場所で重ね合わせて配置し表示するマッピング部とを備える。画像検索技術に付いては近年の技術進歩により相当の精度で個人を識別出来るまでになっている。また高解像度の監視カメラや高速度の通信技術が上記画像検索を可能にしている。【００４８】  而して監視要員が監視装置５０のモニタに画像データを表示する操作を行い（ＳＴＥＰ１）、この中に追跡すべき画像を見付けたならばこれを被追跡画像として画像指定部によって指定操作を行い（ＳＴＥＰ２）、画像検索部はこの被追跡画像を以てこれを含む他の画像データの検索処理を行ってマッチングする画像データを索出し（ＳＴＥＰ３）、時刻順整列部は上記被追跡画像が映っている箇所の時刻データを元にして時刻順に整列処理を行い（ＳＴＥＰ４）、マッピング部で被追跡画像を含む画像データを地図上にマッピングする処理を行うのである（ＳＴＥＰ５）。【００４９】  なお流れ図のＳＴＥＰ５では地図上に各々の画像データを表示する表示窓をマッピングするわけであるが、この地図は上記索出された画像データを撮影した防犯カメラが設置されている駐車場の場所を含んでいる。マッピングされた表示窓ではその各々で被追跡画像が映り始めた時から映り終えるまでの映像をリピート表示するなどの処理を自由に行って良い。何れにせよこの地図上では不審者の動線が明らかとなる。
【産業上の利用可能性】
【００５０】  この発明は戸建て住宅への適用に限定されない。マンションの管理組合や会社や商店が管理する駐車スペースをこのネットワークに取り込むことも可能である。駐車スペースに充電設備を備えて、駐車中の電気自動車などのバッテリに充電し得るシステムとして提供することも可能である。
【符号の説明】
【００５１】１    ネットワーク駐車場    １０  管理本部          １１  看板ライト
１２  電話機                １３  スイッチ          １４  看板ライト
１５  管理サーバ            １６  コイン精算機      １７  通信線
１８  管理サーバ            １９  通信部            １００空き管理部
１０１電子メール送信部      １０２看板ライト        １０３支柱
１０４取付金具
２    一般住宅              ２０  電話機            ２１  駐車スペース
２２  駐車スペース          ２３  表示ライト        ２４  表示ライト
２５  スイッチ              ２６  スイッチ          ２７  電源
２８  青色電球              ２９  赤色電球          ２００点消制御回路
２０１切替スイッチ          ２０２駐車スペース      ２０３出庫阻止装置
２０４スイッチ              ２０５一般住宅          ２０６空き時間帯表示ライト
２０７表示部                ２０８通信部
３    携帯電話機            ３０  表示画面          ３１  案内地図
３２  通話ボタン
４    防犯カメラ
５    ネットワーク駐車場    ５０  監視装置          ５１  防犯カメラ
５２  コイン精算機          ５３  通信線            ５４  防犯カメラ
６    パネル                ６０  フレーム          ６１  取付金具
Ｓ    車止め
【図１】
2015057679.tif 000003
【図２】
2015057679.tif 000004
【図３】
2015057679.tif 000005
【図４】
2015057679.tif 000006
【図５】
2015057679.tif 000007
【図６】
2015057679.tif 000008
【図７】
2015057679.tif 000009
【図８】
2015057679.tif 000010
【図９】
2015057679.tif 000011
【図１０】
2015057679.tif 000012
【図１１】
2015057679.tif 000013
【図１２】
2015057679.tif 000014